(57)【特許請求の範囲】
【請求項１】
メモリにファイル単位で格納されているオーディオデータを再生することが可能なオーディオデータ再生装置において、
１つのファイルを構成するオーディオデータを再生して得られるべき一連の音声の内、一部の音声を無音化するための無音化付加情報を、ファイル毎に格納する情報格納手段と、
１つのファイルを構成するオーディオデータの再生中に、ユーザの操作に応じて前記無音化付加情報を生成し、前記情報格納手段に格納する無音化設定手段と、
情報格納手段に格納されている無音化付加情報に基づき、特定のファイルを構成するオーディオデータに無音化処理を施す無音化処理手段と、
ユーザの操作に応じて、無音化処理の施されたオーディオデータの無音化を解除する無音化解除手段
とを具えていることを特徴とするオーディオデータ再生装置。
【請求項２】
情報生成手段は、無音化付加情報として、無音化開始アドレス情報と無音化終了アドレス情報を生成する請求項１に記載のオーディオデータ再生装置。
【請求項３】
無音化処理手段は、無音化設定を行なうオーディオデータに暗号化処理を施す暗号化手段を具え、無音化解除手段は、暗号化されたオーディオデータに復号化処理を施す復号化手段を具えている請求項１又は請求項２に記載のオーディオデータ再生装置。
【請求項４】
無音化処理手段は、暗号化手段による暗号化処理に際し、ユーザの入力したパスワードを取得するパスワード取得手段を具え、無音化解除手段は、復号化手段によるオーディオデータの復号化処理に際し、ユーザにパスワードの入力を促し、これに応じて入力されたパスワードの正誤を判断し、パスワードが正しい場合にのみ、復号化手段にオーディオデータの復号化処理を実行せしめる制御手段を具えている請求項３に記載のオーディオデータ再生装置。
【請求項５】
無音化処理手段は、暗号化手段による暗号化に際し、装置固有の暗号化キーを取得する暗号化キー取得手段を具え、無効化解除手段は、復号化手段による復号化に際し、暗号化キーの正誤を判断し、暗号化キーが正しい場合にのみ、復号化手段にオーディオデータの復号化処理を実行せしめる制御手段を具えている請求項３に記載のオーディオデータ再生装置。
【請求項６】
無音化解除手段は、無音化開始アドレスにてデータ再生動作を一時停止させるポーズ手段を具え、制御手段は、催促に応じて入力されたパスワードが正しい場合にのみ、データ再生動作を再開させると共に、復号化手段にオーディオデータの復号化処理を実行せしめる請求項４又は請求項５に記載のオーディオデータ再生装置。
【発明の詳細な説明】
【０００１】
【発明の属する技術分野】
本発明は、内蔵のメモリに格納されているオーディオデータを再生することが可能なオーディオデータ再生装置に関するものである。
【０００２】
【従来の技術】
近年、デジタルメモリプレーヤの如く、メモリカードに格納されているオーディオデータを再生することが可能な小型のオーディオデータ再生装置が開発されている。又、パーソナルコンピュータ上で動作するソフトウエアによって、ハードディスクに格納されているオーディオデータを再生するオーディオデータ再生装置を実現することが可能となっている。
この様なオーディオデータ再生装置においては、メモリカードやハードディスク等のメモリに、ファイル単位でオーディデータが格納されており、所望のファイルを選択することによって、そのファイルを構成するオーディオデータを再生することが出来る。
【０００３】
【発明が解決しようとする課題】
ところで、オーディオデータ再生装置は、音楽を聞いたり、英会話の学習を行なったりするために広く利用されているが、この様な場合、１つのファイルを構成するオーディオデータを再生して得られる一連の音声の内、一部の音声のみを無音化し、更にその無音化を解除するという使い方が可能であれば、装置の利用価値を高めることが出来る。例えば英会話における教師の音声(質問)のみを放音して、生徒の音声(解答)を無音化することによって、学習効果を上げることが可能である。然るに、従来のオーディオデータ再生装置においては、この様な無音化設定及びその解除が出来ないため、利用価値が低いものとなっていた。
【０００４】
そこで本発明の目的は、１つのファイルを構成するオーディオデータを再生して得られる一連の音声の内、一部の音声のみを無音化し、更にその無音化を解除するという使い方が可能なオーディオデータ再生装置を提供することである。
【０００５】
【課題を解決する為の手段】
本発明に係るオーディオデータ再生装置は、
１つのファイルを構成するオーディオデータを再生して得られるべき一連の音声の内、一部の音声を無音化するための無音化付加情報を、ファイル毎に格納する情報格納手段と、
１つのファイルを構成するオーディオデータの再生中に、ユーザの操作に応じて前記無音化付加情報を生成し、前記情報格納手段に格納する無音化設定手段と、
情報格納手段に格納されている無音化付加情報に基づき、特定のファイルを構成するオーディオデータに無音化処理を施す無音化処理手段と、
ユーザの操作に応じて、無音化処理の施されたオーディオデータの無音化を解除する無音化解除手段
とを具えている。
【０００６】
上記本発明のオーディオデータ再生装置においては、先ずユーザは、無音化設定を行なうべきファイルのオーディオデータを再生して、音声を聞きながら、無音化の開始点と終了点の位置を指定する。このユーザ操作に応じて、無音化付加情報が生成され、情報格納手段に格納されることになる。
次に、情報格納手段に格納されている無音化付加情報に基づき、特定のファイルを構成するオーディオデータに無音化処理を施す。これによって、無音化の開始点と終了点に挟まれた部分のオーディオデータに無音化処理が施される。
その後、他のユーザが無音化設定の行なわれたオーディオデータを再生した場合、無音化処理の施された部分で音声は無音となる。但し、無音化設定の行なわれたオーディオデータの再生に際し、ユーザが、無音化を解除するための操作を行なうと、該オーディオデータの無音化が解除され、全てのオーディオデータが再生されて、一連の音声が得られる。
【０００７】
具体的構成において、情報生成手段は、無音化付加情報として、無音化開始アドレス情報と無音化終了アドレス情報を生成する。
該具体的構成によれば、無音化開始アドレスにて無音化処理が開始され、無音化終了アドレスにて無音化処理が終了する。これによって、無音化開始アドレスと無音化終了アドレスの間のオーディオデータに無音化が施されることになる。
【０００８】
又、具体的構成において、無音化処理手段は、無音化設定を行なうオーディオデータに暗号化処理を施す暗号化手段を具え、無音化解除手段は、暗号化されたオーディオデータに復号化処理を施す復号化手段を具えている。
該具体的構成によれば、無音化設定が行なわれたオーディオデータに暗号化処理が施されているので、復号化処理を施さない限り、該オーディオデータを正常に再生することは出来ない。
尚、暗号化されたオーディオデータは、例えばミュート処理によって無音化することが出来る。
【０００９】
又、具体的構成において、無音化処理手段は、暗号化手段による暗号化処理に際し、ユーザの入力したパスワードを取得するパスワード取得手段を具え、無音化解除手段は、復号化手段によるオーディオデータの復号化処理に際し、ユーザにパスワードの入力を促し、これに応じて入力されたパスワードの正誤を判断し、パスワードが正しい場合にのみ、復号化手段にオーディオデータの復号化処理を実行せしめる制御手段を具えている。
該具体的構成によれば、オーディオデータの復号化に際して入力したパスワードが、オーディオデータの暗号化に際して入力したパスワードと一致した場合に限り、復号化処理が実行される。
【００１０】
又、具体的構成において、無音化処理手段は、暗号化手段による暗号化に際し、装置固有の暗号化キーを取得する暗号化キー取得手段を具え、無効化解除手段は、復号化手段による復号化に際し、暗号化キーの正誤を判断し、暗号化キーが正しい場合にのみ、復号化手段にオーディオデータの復号化処理を実行せしめる制御手段を具えている。
該具体的構成によれば、オーディオデータの復号化に用いる装置に設定されているパスワードが、オーディオデータの暗号化に用いた装置に設定されている暗号化キーと一致した場合に限り、復号化処理が実行される。
【００１１】
更に具体的な構成において、無音化解除手段は、無音化開始アドレスにてデータ再生動作を一時停止させるポーズ手段を具え、制御手段は、催促に応じて入力されたパスワードが正しい場合にのみ、データ再生動作を再開させると共に、復号化手段にオーディオデータの復号化処理を実行せしめる。
該具体的構成によれば、オーディオデータの再生動作が無音化開始アドレスに至った時点で、データ再生動作が一時停止し、この状態でパスワードの入力が催促される。これに応じてユーザがパスワードを入力すると、そのパスワードが正しい場合に限り、データ再生動作が再開すると共に、再生されたオーディオデータに復号化処理が実行されて、一連の音声が得られる。
【００１２】
【発明の効果】
本発明に係るオーディオデータ再生装置によれば、１つのファイルを構成するオーディオデータを再生して得られる一連の音声の内、一部の音声のみを無音化し、更にその無音化を解除することが可能であり、この様な使い方によって、装置の利用価値が高まる。
【００１３】
【発明の実施の形態】
以下、本発明をデジタルメモリプレーヤに実施した形態につき、図面に沿って具体的に説明する。
図１に示す如く、本発明に係るデジタルメモリプレーヤ(１)は、ＣＰＵ(４)と、オーディオデータを含む複数のファイルが格納されているカード型のメモリ(５)と、種々のデータを表示すべきＬＣＤモジュール(６)と、メモリ(５)から読み出されたオーディオデータを復調するデコーダー(７)と、デコーダー(７)から得られるオーディオデータをアナログのオーディオ信号に変換するＤ／Ａ変換器(８)と、Ｄ／Ａ変換器(８)から出力されるオーディオ信号を増幅してヘッドホンへ供給するアンプ(９)とを具えている。
【００１４】
本発明に係るデジタルメモリプレーヤ(１)においては、メモリ(５)に格納されている複数のファイルの中から任意の１つのファイルを選択して、該ファイルに含まれるオーディオデータを再生することが可能であり、これによって得られるべき一連の音声の内、一部の音声を無音化することも可能である。又、無音化されるべき音声のオーディオデータには、設定に応じて、暗号化を施すことが可能である。
【００１５】
メモリ(５)には、一連の音声の一部を無音化するため、図２(ａ)に示す如きファイル構造の無音化付加情報が格納される。ここで、無音化付加情報には、楽曲や英会話等のコンテンツ(以下、曲と総称する)のオーディオデータが格納されているファイルの名称、ファイルパス、無音化開始時間及び無音化終了時間、音声Ｏｎ／Ｏｆｆフラグ、ポーズＯｎ／Ｏｆｆフラグ、ポーズ時間、暗号化有／無データ、パスワード有／無データなどが含まれ、これらの無音化付加情報が曲毎に設定される。
又、メモリ(５)には、図２(ｂ)に示す如く、デジタルメモリプレーヤ(１)固有の暗号化キーや、ユーザを認識するための１或いは複数のパスワードキーが格納されている。
【００１６】
図３は、無音化付加情報と各曲の暗号化領域の関係を示しており、各曲について、無音化付加情報に含まれる無音化開始時間１〜無音化終了時間１に基づき、この時間領域に対応する一連のオーディオデータが暗号化される。従って、暗号化されていないオーディオデータは、音声信号として再生されるが、暗号化されたオーディオデータは、復号化されない限り、音声信号としては再生されず、例えばミュート処理を受けることによって、無音化される。
【００１７】
図４は、１つの曲に含まれるオーディオデータの一部を無音化するための無音化設定手続きを表わしている。
先ずステップＳ１にて、パスワードを設定するかどうかをユーザに問い合わせ、ステップＳ２にて、ユーザがパスワード設定ボタンを選択したことが検知されたとき、ステップＳ３に移行して、パスワードを設定する。
次にステップＳ４にて、ポーズ設定を行なうかどうかをユーザに問い合わせ、ステップＳ５にて、ユーザがポーズ設定ボタンを選択したことが検知されたとき、ステップＳ６に移行して、ポーズ設定を行なう。
【００１８】
続いて、ステップＳ８にて楽曲の演奏を開始した後、ステップＳ９にて、ユーザの操作に基づいて、無音化したい場所に達したかどうかを判断し、ノーと判断されたときはステップＳ８に戻って、楽曲の演奏を継続する。
その後、ステップＳ９にてイエスと判断されたときは、ステップＳ１０にて無音ＯＮモードの選択を行なった場合、ステップＳ１１に移行して、暗号化開始位置を設定する。そして、ステップＳ１２にて、引き続いて楽曲の演奏を実行し、ステップＳ１３にて、ユーザの操作に基づいて、無音化を解除したい場所に達したかどうかを判断し、ノーと判断されたときはステップＳ１２に戻って、楽曲の演奏を継続する。
【００１９】
その後、ステップＳ１３にてイエスと判断されたときは、ステップＳ１４にて無音ＯＦＦモードの選択を行なった後、ステップＳ１５に移行して、暗号化終了位置を設定する。
続いて、ステップＳ１６では、ユーザの操作に基づいて、更に無音化したい場所がないかどうかを判断し、ノーと判断されたときは、ステップＳ８に戻って、無音化設定を繰り返す。そして、ステップＳ１６にてイエスと判断されたとき、無音化設定手続きを終了する。
この結果、図２(ａ)に示す無音化付加情報ファイルが作成されることになる。
【００２０】
図５は、無音化設定された音声部分のオーディオデータを暗号化するための手続きを表わしている。
先ずステップＳ２２にて、パスワード設定が行なわれているかどうかを判断し、ここでイエスと判断されたときは、ステップＳ２３に移行して、ユーザが入力したパスワードを取得する。一方、ステップＳ２２にてノーと判断されたときは、ステップＳ２４に移行して、機器に固有の暗号化キーが設定されているかどうかを判断する。そして、ステップＳ２４にてイエスと判断されたときは、ステップＳ２５に移行して、機器の暗号化キーを取得する。
その後、ステップＳ２６では、取得したパスワード若しくは暗号化キーに基づいて、無音化設定されている領域のオーディオデータに暗号化処理を施し、手続きを終了する。
【００２１】
図６及び図７は、楽曲の演奏中に無音化設定を解除するための手続きを表わしている。
先ずステップＳ３１にて、楽曲の演奏を開始した後、ステップＳ３２にて、無音化した場所が見つかったかどうかを判断し、ここでイエスと判断されたときは、ステップＳ３３に移行して、更にポーズ設定が行なわれているかどうかを判断する。
【００２２】
ステップＳ３３にてイエスと判断されたときは、ステップＳ３４に移行して、演奏を一時停止した後、ステップＳ３５にて無音化されている旨の表示を行なう。続いてステップＳ３６にて、ユーザにより無音化設定解除ボタンが選択されると、ステップＳ３７では、楽曲の演奏中であるかどうかを判断し、イエスの場合は、ステップＳ３８にて、演奏を一時停止する。
【００２３】
その後、図７のステップＳ４０に移行して、ユーザにパスワードの入力を催促し、ステップＳ４１にて催促に応じてパスワードが入力されると、ステップＳ４２では、そのパスワードが正しいかどうかを判断する。
ステップＳ４２にてノーと判断されたときは、ステップＳ４３にて、再度パスワードが入力されたかどうかを判断し、ここでイエスと判断されたときは、ステップＳ４２に戻って、パスワードが正しいかどうかを判断する。一方、ステップＳ４３にてノーと判断されたときは、ステップＳ４４に移行して、無音化解除失敗として処理する。
【００２４】
ステップＳ４２にてイエスと判断されたときは、ステップＳ４５に移行して、無音化解除の処理を実行した後、ステップＳ４７にて、楽曲の演奏を行なう。
又、図６のステップＳ３２にてノーと判断されたときは、図７のステップＳ３９に移行して、楽曲の演奏を実行する。
その後、ステップＳ４８では、無音化した場所が全て見つかったかどうかを判断し、ここでノーと判断されたときは図６のステップＳ３２に戻って、無音化解除を繰り返す。
【００２５】
この様にして無音化した場所が全て見つかり、図７のステップＳ４８にてイエスと判断されたときは、ステップＳ４９にて楽曲の演奏を継続する。
続いてステップＳ５０では、楽曲の演奏が終了したかどうかを判断し、ノーと判断されたときはステップＳ４９に戻って、楽曲の演奏を継続する。一方、ステップＳ５０にてイエスと判断されたときは、手続きを終了する。
【００２６】
図８は、演奏の停止中に無音化設定を解除するための手続きを表わしている。先ずステップＳ５１にて、ユーザの操作に基づいて、１曲ずつ無音化設定を解除するかどうかを判断し、イエスと判断されたときは、ステップＳ５２にて、ユーザの操作に応じて楽曲の選択を行なう。尚、ステップＳ５１にてノーと判断されたときは、全曲の無音化設定を解除するものと解釈する。
次にステップＳ５３にて、ユーザにより無音化設定解除ボタンが選択されると、ステップＳ５４では、ユーザにパスワードの入力を催促し、ステップＳ５５にて催促に応じてパスワードが入力されると、ステップＳ５６では、そのパスワードが正しいかどうかを判断する。
ステップＳ５６にてノーと判断されたときは、ステップＳ５７にて、再度パスワードが入力されたかどうかを判断し、ここでイエスと判断されたときは、ステップＳ５６に戻って、パスワードが正しいかどうかを判断する。一方、ステップＳ５７にてノーと判断されたときは、ステップＳ５８に移行して、無音化解除失敗として処理する。
ステップＳ５６にてイエスと判断されたときは、ステップＳ５９に移行して、対象となっている全ての楽曲について無音化解除の処理を実行した後、手続きを終了する。
【００２７】
図９は、無音化設定及び解除において、モードボタンの選択に応じたモード遷移(ａ)と、ジョグダイヤルのクリックによるモード選択(ｂ)と、ジョグダイヤルの操作に応じた設定の切り替え(ｃ)とに伴うＬＣＤの表示の変化を表わしている。
▲１▼  例えばパスワードが“１３０１”の場合、ジョグダイヤルによって数字を選択して決定ボタンで確定することにより、４桁の数字“１３０１”を入力する。
▲２▼  モードボタンでモード切り替え画面へ戻る。
▲３▼  暗号化キーのＯＮ／ＯＦＦ設定を行なう。
▲４▼  ポーズのＯＮ／ＯＦＦ設定を行なう。
▲５▼  無音化開始位置と終了位置の設定を行なう。
▲６▼  無音化を実行する。
▲７▼  １曲ずつ無音化設定を解除し、若しくは全曲の無音化設定を解除する。
尚、無音中は、その旨を表わす表示を出すものとする。
【００２８】
上記本発明のデジタルメモリプレーヤにおいては、無音化設定を行なう場合、無音化せんとする音声の開始点に無音化設定を行ない、該音声の終了点に無音解除設定を行なうことによって、該音声のオーディオデータに対し、パスワード若しくは暗号化キーに基づく暗号化を施して、データの保護を図ることが出来る。ここで、ポーズ設定をＯＮとすれば、無音化開始位置で再生動作が一時停止するので、パスワード入力のための時間を設けることが出来る。
無音化を解除する場合には、無音化開始点でポーズがかかっている状態でパスワードを入力することによって、無音化が解除され、オーディオデータの再生が行なわれる。尚、パスワードは予め入力しておくことも可能である。
又、無音化を解除すべき曲を選択していない場合は、全曲を対象として無音化解除の処理が実行され、曲を選択している場合は、選択されている曲のみを対象として無音化解除の処理が実行される。
【００２９】
上述の如く、本発明のデジタルメモリプレーヤによれば、オーディオデータを再生して得られる一連の音声の内、一部の音声のみを無音化し、更にその無音化を解除することが可能であり、この様な使い方によって、装置の利用価値が高まる。例えば、音声によって試験問題を作成する場合、問題部分と解答部分の内、解答部分にのみ無音化を施したデータを作成すれば、そのデータを生徒に配布することによって、試験を実施することが可能となり、その後、パスワードを生徒に知らせることによって、自己採点が可能となる。
【００３０】
尚、本発明の各部構成は上記実施の形態に限らず、特許請求の範囲に記載の技術的範囲内で種々の変形が可能である。例えば、パーソナルコンピュータ上で動作するソフトウエアによるオーディオデータ再生装置に本発明を実施することも可能である。
【図面の簡単な説明】
【図１】本発明に係るデジタルメモリプレーヤの構成を表わすブロック図である。
【図２】無音化付加情報のファイル構造とキー格納エリアのデータ構造を表わす図である。
【図３】無音化付加情報と各曲の暗号化領域の関係を示す図である。
【図４】無音化設定手続きを表わすフローチャートである。
【図５】オーディオデータを暗号化するための手続きを表わすフローチャートである。
【図６】楽曲の演奏中に無音化設定を解除するための手続きの前半を表わすフローチャートである。
【図７】同上手続きの後半を表わすフローチャートである。
【図８】演奏の停止中に無音化設定を解除するための手続きを表わすフローチャートである。
【図９】無音化設定及び解除の操作に応じたＬＣＤの表示の変化を説明する図である。
【符号の説明】
(１)  デジタルメモリプレーヤ
(４)  ＣＰＵ
(５)  メモリ
(６)  ＬＣＤモジュール
(７)  デコーダー
【図１】
0003942390.tif 000002
【図２】
0003942390.tif 000003
【図３】
0003942390.tif 000004
【図４】
0003942390.tif 000005
【図５】
0003942390.tif 000006
【図６】
0003942390.tif 000007
【図７】
0003942390.tif 000008
【図８】
0003942390.tif 000009
【図９】
0003942390.tif 000010